(57)【特許請求の範囲】
【請求項１】
外周の４面を、各々水平面に対して４５°傾けた水平角パイプと、ラックの奥行き方向の線に対して４５°傾けた垂直角パイプを組合わせて構成されるパイプ式ラックのフレームの角枠部に取付けてラックの天板、棚板もしくは側板となすパネルであって、幅をフレームの角枠部の芯間幅とほぼ等しくした基板を有し、その基板の対向２辺のうちの一方の辺に沿って基板の裏面に、前記角枠部を構成する角パイプの角枠中心側斜面に当てる４５°傾斜の支持片を設け、前記対向２辺のうちの他方の辺に沿って基板の裏面に、角パイプの角枠中心側コーナに嵌合する４５°傾斜のＶ溝付きの支持片を設け、さらに、前記一方の辺に沿って設けた支持片の近傍に、前記一方の辺に沿って設けた支持片を支える角パイプの角枠中心側コーナ部に係止する巻込み縁を備えた弾性変形可能な係止片を取付けてなるパイプ式ラック用パネル。
【請求項２】
外周の４面を、各々水平面に対して４５°傾けた水平角パイプと、ラックの奥行き方向の線に対して４５°傾けた垂直角パイプを組合わせて構成されるパイプ式ラックのフレームの角枠部に取付けてラックの天板、棚板もしくは側板となすパネルであって、幅をフレームの角枠部の芯間幅とほぼ等しくした基板を有し、その基板の対向２辺のうちの一方の辺に沿って基板の裏面に、前記角枠部を構成する角パイプの角枠中心側斜面に当てる４５°傾斜の支持片を設け、前記対向２辺のうちの他方の辺に沿って基板の裏面に、角パイプの対角線長さの約１／２の長さの基板裏面側への直角曲げ部と、その直角曲げ部の先端から外向きに４５°の角度で屈曲する傾斜部とを有する支持片を設け、さらに、前記４５°傾斜の支持片の近傍に、その４５°傾斜の支持片を支える角パイプの角枠中心側コーナ部に係止する巻込み縁を備えた弾性変形可能な係止片を取付けてなるパイプ式ラック用パネル。
【請求項３】
前記４５°傾斜の支持片を、基板の他の２辺部にも設けた請求項１又は２記載のパイプ式ラック用パネル。
【発明の詳細な説明】
【０００１】
【発明の属する技術分野】
この発明は、パイプ式ラックの天板、棚板もしくは側板として用いるパネルに関する。
【０００２】
【従来の技術】
周知のパイプ式ラックに、フレームを角パイプで構成するものがある。このラックは、図６に示すように、内外径が等しい計４本の縦角パイプ１と計８本の横角パイプ２をジョイント３で接続して計６個の角枠５を有する箱型（立方体又は直方体）のフレーム４を作る。この箱型のフレーム４を基本形にして角パイプ１、２を必要に応じて継ぎ足し、基本形のフレームが横にいくつか連なった形のラックや縦に多段に連なった形のラック、或いは図７に示す如き段違い棚のあるラックとなす。ジョイント３には、図９に示すように３個のプラグ３ａをＸ、Ｙ、Ｚの３軸方向に突出させた３方ジョイント、図のＸ、Ｙ、Ｚ、及び−Ｘの４方向にプラグを突出させた４方ジョイント、Ｘ、Ｙ、Ｚ及び−Ｘと−Ｙの５方向にプラグを突出させた５方ジョイント、Ｘ、Ｙ、Ｚ、−Ｘ、−Ｙ、−Ｚの６方向のプラグを有する６方ジョイント等があり、そのジョイントを使い分けて箱型フレームの連結方向や連結数を色々と変化させることができる。
【０００３】
この種のラックの中には、フレームを丸パイプで構成したものもあるが、これは、ジョイントのプラグをパイプに圧入するので組立、分解に手間取る。これに対し、角パイプを用いたラックは、図１０に示すように、プラグ３ａの外面に９０°ピッチで平面３ｂを付してこの部分のプラグ径ｄ1 を角パイプ１、２の内径より小さくし、その他の部分のプラグ径ｄは角パイプ１、２の内径より僅かに大として図の実線の位置でプラグ３ａに角パイプ１、２を挿入し、その後、プラグ３ａと角パイプ１、２を４５°相対回転させて両者を固定することができ、組立、分解の面で丸パイプ使用のラックよりも有利である。
【０００４】
また、組上がり時に角パイプ２の外面を水平面に対して４５°傾け（角パイプ１はラックの奥行き方向の線に対して外面を４５°傾ける）、図８に示すように、角枠５（これは４本の角パイプから成る四角枠）に生じた内すぼみのテーパ凹形空間に天板６等を嵌めるので、天板や棚板に横への移動止め具を設ける必要が無く、この面でも丸パイプ使用のラックより有利である。
【０００５】
【発明が解決しようとする課題】
パイプ式ラックのパネル（天板や棚板）としては、一般に厚手の１枚板のガラスやアクリル板、木板などが用いられているが、従来のラックは、これを角枠の内側の凹形空間に単に落し入れるだけであるので、ラックが何かの拍子に傾いたり、パネルが突き上げられたりすると、そのパネルが枠から外れることがあり、安全性や載置物の保護面で問題があった。
【０００６】
また、必要に応じて取付ける側板は、周縁部に弾性フックを取付け、このフックをパイプ外周に抱きつかせるなどして取付けており、外観的に好ましくなかった。
【０００７】
そこで、この発明は、着脱が容易で外れ止めの信頼性に優れ、また、同一パネルを天板、棚板、側板として使用でき、外観的にも優れるパイプ式ラック用のパネルを提供することを課題としている。
【０００８】
【課題を解決するための手段】
上記の課題解決策として提供するこの発明のパネルは、外周の４面を、各々水平面に対して４５°傾けた水平角パイプと、ラックの奥行き方向の線に対して４５°傾けた垂直角パイプを組合わせて構成されるパイプ式ラックのフレームの角枠部に取付ける。このパネルは、幅をフレームの角枠部の芯間幅とほぼ等しくした基板を有し、その基板の対向２辺に沿って基板の裏面に、それぞれ、前記角枠を構成する角パイプの角枠中心側斜面に当てる４５°傾斜の支持片を設け、一方の支持片は角パイプの角枠中心側コーナに嵌合するＶ溝付きの支持片とし、さらに、他方の支持片の近傍に、他方の支持片を支える角パイプの角枠中心側コーナ部に係止する巻込み縁を備えた弾性変形可能な係止片を取付けて構成する。なお、４５°傾斜の支持片は、荷重を受けるパネルについては基板の他の２辺部にも設けておくのがよい。
【０００９】
また、前記Ｖ溝付き支持片に代えて、角パイプの対角線長さの約１／２の長さの基板裏面側への直角曲げ部と、その直角曲げ部の先端から外向きに４５°の角度で屈曲する傾斜部とを有する支持片を基板の一辺に沿って設け、さらに、その直角曲げ部の付いた支持片とは相反する側の辺に沿って、角パイプの斜面に当てる傾斜支持片を設け、かつ、この傾斜支持片の近傍に前記係止片を設けた構成のパネル（以下Ｖ溝無しパネルと云う）も考えられる。
【００１０】
【作用】
この発明のパネルは、４５°傾斜の支持片が補強材となって撓み変形が防止されるので基板を１ｍｍ以下の厚みの鉄板等で形成しても充分な強度が得られ、ガラス板等に比べて大巾なコスト低減が図れる。
【００１１】
また、この発明では、Ｖ溝付き支持片と巻込み縁付き係止片を平行配置の角パイプに係合させて、パネルを外れ止めするので、パネルの着脱がし易く、外れ止めの信頼性も確保できる。この外れ止めのために、基板の対向２辺部にＶ溝付き支持片を設けて２つの支持片を直接角パイプに係止させてみたところ、パネルの取付け、取外しに大きな力と支持片をこじ曲げる道具を必要とし、実用的でなかった。また、ラッチ式の爪による外れ止めも試みたが、これは安全性に欠けていた。
【００１２】
これに対し、前述の係止片は、傾斜支持片から独立しているので、弾性変形の自由度が高く、着脱時に巻込み縁と角パイプの接触部に働く分力で容易に弾性変形する。また、角パイプとの係合時には、支持片の復元弾力で傾斜支持片が角パイプの外面に押し当てられるため、パネルのガタツキが起こらない。
【００１３】
このほか、支持片、係止片はパネルの裏側に完全に隠れるので、外見も良くなる。Ｖ溝無しパネルは、直角に交わる２つの角枠にそれぞれパネルを取付けることを可能ならしめるためのものである。その詳細については実施形態の項で説明する。
【００１４】
【発明の実施の形態】
図１及び図２に、この発明のパネルの実施形態を示す。
【００１５】
図１は、Ｖ溝有りのパネルを裏側から見たものである。このパネル１０は、金属製の基板１１の裏側にＶ溝付き支持片１２とＶ溝の無い支持片１３、１４、１５と、先端に巻込み縁を形成した係止片１７を設けて構成されている。
【００１６】
基板１１のサイズは、図３に示すラックの角枠５の芯間スペース内にほぼ適合して納まる大きさ、即ち角枠５の芯間縦幅をＨ、芯間横幅をＷとしたとき、縦幅ｈをＨよりも、また、横幅ｗをＷよりも僅かに（数ｍｍ）小さくしたものにしてある。
【００１７】
この基板１１は、少なくとも一部がパンチングメタル構造になっているものや定ピッチでスリット穴をあけたもの、或いは、中央部をくり抜いてそこに透明ガラス板や透明樹脂板などを嵌め込んだものであってもよい。パンチングメタルのパネルは、吊下用フックを掛けたりするときに有利である。また、スリット穴をあけたパネルは、２枚を起立して対向させ、横向きになったスリット部で棚板を支えることができる。さらに、透明ガラス板などを嵌め込んだパネルを用いると、ラックをショーケースなどとして利用することができる。
【００１８】
Ｖ溝付き支持片１２は、基板１１の一辺に沿って設けられている。この支持片１２は、図４に示すように、基板の周縁部をα＝４５°、β＝９０°となるように曲げ加工して作られており、その曲げ加工によって生じたＶ溝に図のように角パイプ（図のそれは２）の角枠中心側コーナが嵌め込まれる。
【００１９】
また、支持片１３、１４、１５は基板１１の残りの３辺に沿って設けられている。この支持片１３、１４、１５は、図４、図５に示すように４５°の角度で傾き、角パイプの内側の４５°傾斜の斜面に支えられる。
【００２０】
支持片１２、１３、１４、１５  は、図のように、基板１１を曲げ加工して作るもの、別体の支持片を基板にスポット溶接やリベッティング加工して取付けたもののどちらであってもよい。
【００２１】
また、支持片１４、１５は、荷重を受けないパネル、例えば天板、側板として使用するパネルの場合は省いてもよい。
【００２２】
係止片１７は、支持片１３に近接して基板の両端近くに各１個設けてある。この係止片１７は、弾性変形し易い短冊状金属板の先端に巻込み縁１６を設けたものであり、根元側に付けた座板が基板１１の裏面にスポット溶接されている。この係止片１７は少なくとも１個あればよい。その数を３個以上に増やすこともできるが、係止片１７が多過ぎると大きな着脱力が必要になって好ましくない。例示のパネル１０は、図４の状態で、巻込み縁１６が係止片１７の弾性復元力で角パイプ２の下側斜面に圧接するようにした。
【００２３】
このように構成したパネル１０は、図４に示すように、支持片１２を角枠５の片側の角パイプ２にＶ溝嵌合させ、係止片１７のある側を軽く押し付けると係止片１７が他側の角パイプ２に係止して角枠５に取付く。取外しは、係止片１７のある側を裏から軽く押してやればよい。
【００２４】
次に、図２のパネル２０について述べる。このパネル２０は、基板１１の３辺に支持片１３、１４、１５を設け、さらに、支持片１３の近傍に係止片１７を設けている。支持片１３、１４、１５と係止片１７は、図１のパネルに設けたものと同じである。
【００２５】
基板１１の残りの一辺に沿って設けた支持片１８は、図４に示すように、裏面側への直角曲げ部１８ａの先端に４５°の曲げ戻し傾斜部１８ｂを連設した形状になっている。直角曲げ部１８ａの幅は、角パイプの対角線の長さの約１／２としてある。また、基板１１の支持片１８をつける側の幅は、直角曲げ部１８ａの幅相当分パネル１０の基板よりも短くしてある。
【００２６】
この支持片１８を設けたのは、次の理由による。即ち、図４のように、直角に交わる２つの角枠５のどちらか一方に図１のパネル１０が取付けられていると、もう一方の角枠５には、パネル１０の一部が邪魔になって同一形状のパネルを取付けることができない。そこで、図１の支持片１２に代えて取付規制を受けない支持片１８を設けた。
【００２７】
このパネル２０は、支持片１８の傾斜部１８ｂと係止片１７を対向位置の角パイプの外面に係止させて外れ止めする。なお、このパネル２０を荷重を受ける棚板として利用するときには、支持片１８に荷重受け部が無いので、支持片１４、１５を必ず設けておく。
【００２８】
【発明の効果】
以上述べたように、この発明のパネルは、基板の対向２辺部に設けたＶ溝（又は直角曲げ部）付き支持片と弾性変形し易い巻込み縁付き係止片を対向位置の角パイプに係止させてラックフレームの角枠に固定するので、着脱が容易で、外れ止めの信頼性にも優れる。
【００２９】
また、支持片や係止片が完全に裏側に隠れるので外観が損なわれることがない。
【００３０】
さらに、薄い金属板で作られるのでコスト面でも有利になる。
【図面の簡単な説明】
【図１】この発明のパネルの実施形態を裏から見て示す斜視図
【図２】他の実施形態を裏から見て示す斜視図
【図３】フレームの角枠にパネルを取付けた状態の平面図
【図４】図３のIV−IV線に添った断面図
【図５】図３のＶ−Ｖ線に添った断面図
【図６】パイプ式のラックのフレームの基本形を示す斜視図
【図７】段違い棚を有するラックフレームの斜視図
【図８】従来のラックの天板取付部の断面図
【図９】角パイプ用ジョイントの一例を示す斜視図
【図１０】角パイプとジョイントのプラグの嵌合状態を示す図
【符号の説明】
１、２  角パイプ
３  ジョイント
３ａ  プラグ
４  箱型フレーム
５  角枠
６  天板
１０、２０  パネル
１１  基板
１２  Ｖ溝付き支持片
１３、１４、１５  支持片
１６  巻込み縁
１７  係止片
１８  直角曲げ部を有する支持片
【図１】
0003917271.tif 000002
【図２】
0003917271.tif 000003
【図３】
0003917271.tif 000004
【図４】
0003917271.tif 000005
【図５】
0003917271.tif 000006
【図６】
0003917271.tif 000007
【図７】
0003917271.tif 000008
【図８】
0003917271.tif 000009
【図９】
0003917271.tif 000010
【図１０】
0003917271.tif 000011